(57)【要約】【課題】同一のフィルタ回路からなるノイズフィルタについて、外部端子の種類に応じて行っていた設計・製造・管理を簡略化することができるノイズフィルタの提供を目的とする。【解決手段】電気的ノイズを低減させるフィルタ手段６を備えたノイズフィルタ８には、フィルタ手段と導通する電線接続用の外部端子７を外部に備えたインサート部材２と、同じくフィルタ手段と導通し電源コードプラグが係合する外部端子であるプラグピンがハウジング内に樹脂モールドされて機器に組み込まれる電源接続コネクタであるインレット部材の２種の外部端子を選択的に接続することのできる共通接続部４ａを備える。【選択図】図１
2006269467.tif 000002
【特許請求の範囲】
【請求項１】
電気的ノイズを低減させるフィルタ手段を備えたノイズフィルタには、上記フィルタ手段と導通する電線接続用の外部端子を導出したインサート部材と、同じく上記フィルタ手段と導通し電源コードプラグが係合する外部端子であるプラグピンがハウジング内に樹脂モールドされて機器に組み込まれる電源接続コネクタであるインレット部材を選択的に接続することのできる共通接続部を備え、インサート部材を接続することにより箱型ノイズフィルタを形成し、インレット部材を接続することでインレット型ノイズフィルタを形成することを特徴とするノイズフィルタ。
【請求項２】
インサート部材はインレット部材における機器固定用の係止部と同一の係止部を備えることを特徴とする請求項１記載のノイズフィルタ。
【発明の詳細な説明】
【技術分野】
【０００１】
本発明は、ケース内にコイルやコンデンサ等の電子部品からなるフィルタ回路を配設したノイズフィルタに係り、特に外部接続構造が異なるノイズフィルタにおいて共通化部品を用いることでこれらの製造・管理を容易にすることができるノイズフィルタに関するものである。
【背景技術】
【０００２】
従来、電源ラインや通信ライン等の外部からのラインを経由して電子機器内部に種々のノイズが侵入することで電子機器が誤動作することを防止すべく、各種ノイズフィルタが案出されている。下記特許文献１のノイズフィルタは、箱型のケース内にフィルタ回路を構成するコイルやコンデンサ等の電子部品を配設するとともに、ケースの相対向する側面に外部端子を導出したもので、一般に箱型ノイズフィルタと称されているタイプである。また下記特許文献２のノイズフィルタは、ＡＣインレットを一方に配設したケース内にフィルタ回路を配設するとともに、ケースの他方に外部端子を導出した、インレット型ノイズフィルタと称されているタイプである。
【特許文献１】特開平１１−３３０８８６号公報
【特許文献２】特開平１１−４０９６号公報
【発明の開示】
【発明が解決しようとする課題】
【０００３】
上述した箱型ノイズフィルタ及びインレット型ノイズフィルタは、電子機器へ組み込まれる取付配置を考慮してどちらかが選択されるのであるが、外部端子の種類が異なるだけで同じフィルタ回路のノイズフィルタが２種類以上製造されることが行われていた。しかしながら、ノイズフィルタを製造・管理する立場からすると、同一のフィルタ回路のノイズフィルタを、外部端子の種類に応じてそのたびに設計・製造・管理することは手間のかかることであった。
【０００４】
そこで本発明にあっては、上述した課題を解決すべく、同一のフィルタ回路のノイズフィルタについて外部端子の種類に応じて行っていた設計・製造・管理を簡略化することができるノイズフィルタの提供を目的とする。
【課題を解決するための手段】
【０００５】
上記目的を達成するため、本発明のノイズフィルタは、電気的ノイズを低減させるフィルタ手段を備えたノイズフィルタには、上記フィルタ手段と導通する電線接続用の外部端子を導出したインサート部材と、同じく上記フィルタ手段と導通し電源コードプラグが係合する外部端子であるプラグピンがハウジング内に樹脂モールドされて機器に組み込まれる電源接続コネクタであるインレット部材を選択的に接続することのできる共通接続部を備え、インサート部材を接続することにより箱型ノイズフィルタを形成し、インレット部材を接続することでインレット型ノイズフィルタを形成することを特徴とする。
【０００６】
また、インサート部材はインレット部材における機器固定用の係止部と同一の係止部を備えることを特徴とする。
【発明の効果】
【０００７】
本発明のノイズフィルタによれば、電気的ノイズを低減させるフィルタ手段を備えたノイズフィルタには、上記フィルタ手段と導通する電線接続用の外部端子を導出したインサート部材と、同じく上記フィルタ手段と導通し電源コードプラグが係合する外部端子であるプラグピンがハウジング内に樹脂モールドされて機器に組み込まれる電源接続コネクタであるインレット部材を選択的に接続することのできる共通接続部を備えることで、インサート部材を組み込んだ場合には箱型ノイズフィルタとすることができ、またインレット部材を組み込んだ場合には、インレット型ノイズフィルタとすることができ、ノイズフィルタの設計・製造・管理を簡略化することができ便宜である。
【０００８】
また、インサート部材はインレット部材における機器固定用の係止部と同一の係止部を備えることで、インサート部材を機器に組み込む際にインレット部材用の固定方法をそのまま適用することができ設計の共通化を図ることできて便宜である。
【発明を実施するための最良の形態】
【０００９】
図１及び図２は、本発明に係るノイズフィルタを表しており、このノイズフィルタは基本構造となるノイズフィルタユニット１に対し、外部端子構造となるインサート部材２若しくはインレット部材３の何れかを選択的に組み合わせる構成としている。
ノイズフィルタユニット１は、金属製の外装ケース４と、この外装ケース４の後方に配設される電線類接続用の外部端子５と、外装ケース４内に収納されるコイル等から構成されるフィルタ手段６とからなり、上記外部端子５はフィルタ手段６の一方（出力側）の端子６ａに接続されている。そして、外装ケース４の前方を、インサート部材２、インレット部材３の基端部分を係合すべく開口する共通接続部４ａとしている。
【００１０】
インサート部材２は、図１に示すごとく、外装ケース４の共通接続部４ａに係合する構造であり、外装ケース４内で上記フィルタ手段６の他方（入力側）の端子６ｂに一端２ａを接続するとともに、この一端２ａと導通する他端２ｂを外装ケース４外に配置して電線類接続用の外部端子７としている。このようにして、ノイズフィルタユニット１にインサート部材２を組み合わせることで、箱型ノイズフィルタ８が完成する。
【００１１】
インレット部材３は、図２に示すごとく、同じく外装ケース４の共通接続部４ａに係合する構造であり、その外部側には、ハウジング内に樹脂モールドされて電源コードプラグを係合する外部端子であるプラグピン３ａが露出し、外装ケース４内部側では、プラグピン３ａを上記フィルタ手段６の他方（入力側）の端子６ｂに接続する構造としている。このようにして、ノイズフィルタユニット１にインレット部材３を組み合わせることで、インレット型ノイズフィルタ９が完成する。すなわち、外装ケース４の共通接続部４ａに対し、インサート部材２とインレット部材３を選択的に接続することを可能とするものである。
【００１２】
図２の１０は、インレット部材３を機器に組み込む際の係止部であり、ネジでインレット部材３を機器に固定するための孔部である。そして図１の１１は、インサート部材２を機器に組み込む際の係止部であり、その孔径とピッチを上記インレット部材３の係止部１０と同一とするものである。このように、インレット部材３とは外部端子構造が異なるインサート部材２において、その寸法構造をインレット部材３と互換性を備えさせることで、ノイズフィルタユニット１を共通化させることが可能となるものである。
【図面の簡単な説明】
【００１３】
【図１】本発明のノイズフィルタに係る箱型ノイズフィルタを示し、（１）は正面図、（２）は左側面図、（３）は右側面図、（４）は平面図である。
【図２】本発明のノイズフィルタに係るインレット型ノイズフィルタを示し、（１）は正面図、（２）は左側面図、（３）は右側面図、（４）は平面図である。
【符号の説明】
【００１４】
１  ノイズフィルタユニット
２  インサート部材
３  インレット部材
３ａ  プラグピン
４  ケース
４ａ  共通接続部
５  外部端子
６  フィルタ手段
７  外部端子
８  箱型ノイズフィルタ
９  インレット型ノイズフィルタ
１０  係止部
１１  係止部
【図１】
2006269467.tif 000003
【図２】
2006269467.tif 000004